(57)【要約】  無線通信端末が基地局へのデータ又は制御情報のアップリンクを断続し，そのため基地局が誤っていくつかの電力制御コマンドを単にノイズ及び干渉波を基準にして判定したとき，無線通信端末が基地局からの電力制御コマンドに従うか無視するかを判定できるようにする方法及び対応する装置である。基地局を操作する対応する方法及び対応する装置も提供される。
2010504001.tif 000002
【特許請求の範囲】
【請求項１】
無線接続網と通信するユーザ装置無線通信端末に含まれる装置が用いる方法であって，
電力制御ループのダウンリンク期間に存在する可能性のある電力変更コマンドを，電力制御ループのダウンリンク期間をアップリンク期間に関連させる遅延・タイミング指示子を基準として無視するかどうかを判定するステップであって，前記ユーザ装置無線端末がデータ及び／又は制御情報を前記無線接続網へ断続送信によってアップリンクするステップと，
前記遅延・タイミング指示子を基準としてダウンリンク期間の電力変更コマンドを無視しないように判定したときだけ，前記ダウンリンク期間の電力変更コマンドに対応する電力変更制御信号を無線フロントエンドへ供給するステップと，
を有する方法。
【請求項２】
前記遅延・タイミング指示子は標準に全体又は一部が規定されている請求項１に記載の方法。
【請求項３】
下り回線信号から前記遅延・タイミング指示子のすべて又は一部を取得するステップを更に有する請求項１に記載の方法。
【請求項４】
前記遅延・タイミング指示子は，前記無線接続網による前記データ又は制御情報の着信から，電力変更制御信号の送信までの遅延を示す１又は複数の値とする請求項１に記載の方法。
【請求項５】
前記遅延・タイミング指示子は，前記電力制御ループに対応するアップリンク期間及びダウンリンク期間を示す請求項１に記載の方法。
【請求項６】
前記遅延・タイミング指示子は，アップリンクギャップの後のどのダウンリンク期間の電力変更コマンドを無視し，及び／又は従うかを示す請求項１に記載の方法。
【請求項７】
前記データ及び／又は制御情報は，前記ユーザ装置無線通信端末が強化専用チャネルでアップリンクする請求項１に記載の方法。
【請求項８】
前記データ及び／又は制御情報は，前記ユーザ装置無線通信端末が専用制御チャネルでアップリンクする請求項１に記載の方法。
【請求項９】
前記データ及び／又は制御情報は，前記ユーザ装置無線通信端末が送信を行うオン期間と，送信しないオフ期間とからなる断続パターンに少なくとも部分的に従ってアップリンクする請求項１に記載の方法。
【請求項１０】
前記遅延・タイミング指示子は，データ又は制御情報を搬送するスロットのアップリンクから，前記アップリンクスロットを基準として電力変更コマンドを提供するスロットのダウンリンクまでの期間の少なくともいくつかの値を提供する請求項１に記載の方法。
【請求項１１】
前記遅延・タイミング指示子は，前記ユーザ装置がアップリンクした前記データ及び／又は制御情報を基準とする品質測定と，対応する電力変更コマンドを準備し送信する付加処理とを行う期間の値を提供し，伝ぱ遅延値は提供しない請求項１に記載の方法。
【請求項１２】
前記遅延・タイミング指示子は，前記ユーザ装置から前記電力制御コマンドが提供されないか，提供されるがデータ及び／又は制御情報を基準としていない期間を示す請求項１に記載の方法。
【請求項１３】
計算機プロセッサが実行する計算機プログラムコードを組み込んだ計算機可読記憶構造体を備える計算機プログラム製品であって，前記計算機プログラムコードは請求項１〜１２のいずれか一項に記載の方法を実行する命令を含む計算機プログラム製品。
【請求項１４】
請求項１〜１２のいずれか一項に記載の方法によって動作するようにした特定用途集積回路。
【請求項１５】
無線接続網と通信するユーザ装置無線通信端末に用いる装置であって，前記ユーザ装置無線通信端末のプロトコルスタックの物理層実装を，
電力制御ループのダウンリンク期間に存在する可能性のある電力変更コマンドを，電力制御ループのダウンリンク期間をアップリンク期間に関連させる遅延・タイミング指示子を基準として無視するかどうかを判定して，前記ユーザ装置無線端末がデータ及び／又は制御情報を前記無線接続網へ断続送信によってアップリンクし，
前記遅延・タイミング指示子を基準としてダウンリンク期間の電力変更コマンドを無視しないように判定したときだけ，前記ダウンリンク期間の電力変更コマンドに対応する電力変更制御信号を無線フロントエンドへ供給する，
ように構成する装置。
【請求項１６】
前記遅延・タイミング指示子は標準に全体又は一部が規定されている請求項１５に記載の装置。
【請求項１７】
前記プロトコルスタックの物理層実装を，下り回線信号から前記遅延・タイミング指示子のすべて又は一部を取得するように更に構成する請求項１５に記載の装置。
【請求項１８】
前記遅延・タイミング指示子は，前記電力制御ループに対応するアップリンク期間及びダウンリンク期間を示す請求項１５に記載の装置。
【請求項１９】
前記遅延・タイミング指示子は，アップリンクギャップの後のどのダウンリンク期間の電力変更コマンドを無視し，及び／又は従うかを示す請求項１５に記載の装置。
【請求項２０】
無線接続網と通信するユーザ装置無線通信端末に含まれる装置が用いる方法であって，
電力制御ループのダウンリンク期間に存在する可能性のある電力変更コマンドを，電力制御ループのダウンリンク期間をアップリンク期間に関連させる遅延・タイミング指示子を基準として無視するかどうかを判定する手段であって，前記ユーザ装置無線端末がデータ及び／又は制御情報を前記無線接続網へ断続送信によってアップリンクする手段と，
前記遅延・タイミング指示子を基準としてダウンリンク期間の電力変更コマンドを無視しないように判定したときだけ，前記ダウンリンク期間の電力変更コマンドに対応する電力変更制御信号を無線フロントエンドへ供給する手段と，
を備える装置。
【請求項２１】
前記遅延・タイミング指示子は標準に全体又は一部が規定されている請求項２０に記載の装置。
【請求項２２】
下り回線信号から前記遅延・タイミング指示子のすべて又は一部を取得する手段を更に備える請求項２０に記載の装置。
【請求項２３】
請求項１５〜２２のいずれか一項に記載の装置と，
前記無線接続網と通信する送受信器であって，前記無線接続網へ送信するように構成した送受信器と，
を備えるユーザ装置無線通信端末。
【請求項２４】
無線フロントエンドと，
前記無線フロントエンドと通信するプロセッサと，
前記プロセッサと接続され命令集合を記憶するメモリであって，該命令は前記プロセッサによって実行可能であり，
電力制御ループのダウンリンク期間に存在する可能性のある電力変更コマンドを，電力制御ループのダウンリンク期間をアップリンク期間に関連させる遅延・タイミング指示子を基準として無視するかどうかを判定するステップであって，前記ユーザ装置無線端末がデータ及び／又は制御情報を前記無線接続網へ断続送信によってアップリンクするステップと，
前記遅延・タイミング指示子を基準としてダウンリンク期間の電力変更コマンドを無視しないように判定したときだけ，前記ダウンリンク期間の電力変更コマンドに対応する電力変更制御信号を無線フロントエンドへ供給するステップと，
を有するメモリと，
を備えるユーザ装置無線通信端末。
【請求項２５】
ユーザ装置無線通信端末と通信する無線接続網の要素が用いる方法であって，
前記ユーザ装置無線通信端末からデータ及び／又は制御情報を示す信号を受信し，前記無線通信端末に対応する電力変更コマンドを送信するために必要な期間の１又は複数の部分を示すか，データ及び／又は制御情報を基準としているので電力変更コマンドに従うかどうかを前記ユーザ装置無線通信端末が判定するのに十分な情報を示す，遅延・タイミング指示子の値を取得又は判定するステップを有する方法。
【請求項２６】
前記遅延・タイミング指示子を搬送する前記無線通信端末へ通信信号を供給するステップを更に有する請求項２５に記載の方法。
【請求項２７】
計算機プロセッサが実行する計算機プログラムコードを組み込んだ計算機可読記憶構造体を備える計算機プログラム製品であって，前記計算機プログラムコードは請求項２５又は２６に記載の方法を実行する命令を含む計算機プログラム製品。
【請求項２８】
請求項２５又は２６に記載の方法によって動作するようにした特定用途集積回路。
【請求項２９】
ユーザ装置無線通信端末と通信する無線接続網の要素が用いる装置であって，
前記ユーザ装置無線通信端末からデータ及び／又は制御情報を示す信号を受信し，前記無線通信端末に対応する電力変更コマンドを送信するために必要な期間の１又は複数の部分を示すか，データ及び／又は制御情報を基準としているので電力変更コマンドに従うかどうかを前記ユーザ装置無線通信端末が判定するのに十分な情報を示す，遅延・タイミング指示子の値を取得又は判定するように構成したプロセッサを備える装置。
【請求項３０】
前記プロセッサは，前記遅延・タイミング指示子を搬送する前記無線通信端末へ通信信号を供給するように更に構成する請求項２９に記載の装置。
【請求項３１】
ユーザ装置無線通信端末と通信する無線接続網の要素が用いる装置であって，
前記ユーザ装置無線通信端末からデータ及び／又は制御情報を示す信号を受信し，前記無線通信端末に対応する電力変更コマンドを送信するために必要な期間の１又は複数の部分を示すか，データ及び／又は制御情報を用いているので電力変更コマンドに従うかどうかを前記ユーザ装置無線通信端末が判定するのに十分な情報を示す，遅延・タイミング指示子の値を取得又は判定する手段を備える装置。
【請求項３２】
前記遅延・タイミング指示子を搬送する前記無線通信端末へ通信信号を供給する手段を更に備える請求項３１に記載の装置。
【請求項３３】
請求項２９又は３１に記載の装置と，
ユーザ装置無線通信端末と通信する無線フロントエンドと，
を備える無線接続網の基地局。
【請求項３４】
無線接続網の制御装置であって，該無線接続網は該制御装置が制御する基地局も含んでおり，
請求項２９又は３１に記載の装置と，
前記基地局と通信する送信器と，
を備える制御装置。
【請求項３５】
請求項２９又は３１に記載の装置と，
ユーザ装置無線通信端末と通信する無線フロントエンドであって，前記遅延・タイミング指示子に応答して前記ユーザ装置無線通信端末へ前記遅延・タイミング指示子を送信するように構成した無線フロントエンドと，
を備える無線接続網の基地局。
【請求項３６】
無線接続網の制御装置であって，該無線接続網は該制御装置が制御する基地局も含んでおり，
請求項２９又は３１に記載の装置と，
前記基地局と通信する送信器であって，前記ユーザ装置無線通信端末へ配信するために前記基地局へ前記遅延・タイミング指示子を送信するように構成した送信器と，
を備える制御装置。
【発明の詳細な説明】
【技術分野】
【０００１】
本発明は無線通信の分野に属する。より特定すれば本発明は，無線通信端末が送信電力を断続するときに従う手続に属する。
【背景技術】
【０００２】
いくつかの無線通信システム，特にＵＭＴＳ（はん用移動体通信システム）であってＵＴＲＡＮ（ＵＭＴＳ地上無線接続網）の無線インタフェースにＷＣＤＭＡ（広帯域符号分割多元接続）を用いるＵＭＴＳは，電力節減のためにＵＥ（ユーザ装置）無線通信端末が送信電力をオン・オフすることができる。すなわち，種々の要因のなかでも断続パターンによって，すなわちオン期間及びオフ期間を有するデューティサイクルに少なくとも部分的に従って，送信電力を断続する。例としてＷＣＤＭＡを用いるＵＴＲＡＮを用いて，ＵＥはデータ及び（パイロットビットのような）制御情報をＵＴＲＡＮのノードＢに送信し，そしてノードＢはその制御情報を用いてＵＥ上り回線品質を推定し，それによってＵＥに送信電力を変更するように指示する。ＵＥが送信電力断続を用いることになっているときは，ノードＢに制御情報を送信できない期間がある。そして相応して，ノードＢが信頼できない品質情報を基準にして電力変更コマンドを発行する期間がある。ＵＥはそのようなコマンドを無視することが望ましいが，どのコマンドを無視するかが分からない。
【０００３】
本発明の利用の一例として，ＷＣＤＭＡを用いるＵＴＲＡＮのＤＰＣＣＨ（専用物理制御チャネル）の断続を考える。ＵＴＲＡＮでは上りＤＰＣＣＨは，ノードＢがなかでもＦ−ＤＰＣＨ（部分専用物理チャネル）又は下りＤＰＣＣＨのいずれかを介して，ＵＥへ電力変更コマンドをダウンリンクすることを判定するために用いる制御ビットを，ＵＥがアップリンクするために用いる。上りＤＰＣＣＨは，ＷＣＤＭＡプロトコルスタックの第１層（物理層）で発生した制御情報を搬送する。ＵＥがアップリンクする第１層制御情報は，例えば指定パイロットビットと，送信電力制御（ＴＰＣ）コマンド（下り回線電力制御用）と，帰還情報（ＦＢＩ）と，任意選択の転送形式組合せ指示子（ＴＦＣＩ）と，を含む。上りＤＰＣＣＨは現在，（たとえ送信するデータがないときがあっても）連続して送信され，各無線回線に一つの上りＤＰＣＣＨがある。連続送信は，通常連続して送信される回線交換サービスに適している。しかしバースト状のパケットサービスについては，連続ＤＰＣＣＨ送信は非常に大きなオーバヘッドとなる。したがってＤＰＣＣＨを断続させることが想定される。ノードＢがＵＥの電力制御のために用いる制御ビットを搬送する上りＤＰＣＣＨが断続されているときは，ＵＥは既に上述した理由によって，上りＤＰＣＣＨ送信ギャップ（すなわち断続パターンに対応するデューティサイクルのオフ期間）に対応する（すなわちノードＢがそれを用いて判定する）受信ＴＰＣコマンドを無視（又は電力制御以外に用いる）ことが望ましい。しかし現在は，内部電力制御ループ（上り回線ＳＩＲ測定期間）の遅延に関するノードＢの要求条件又は標準はない。したがって遅延（上り回線ＳＩＲ測定期間）は実装依存である。したがって現在は，（たとえＵＥがアップリンクギャップタイミングを知っていても）ＵＥはどのＴＰＣコマンドが上りＤＰＣＣＨ送信ギャップに対応するか分からない。換言すれば，現在ＵＥは，元々はＴＰＣコマンドを含んだかも知れないどの時間スロットを上り回線電力制御の目的では無視することが望ましいかを判定することができない。
【発明の開示】
【発明が解決しようとする課題】
【０００４】
したがって，ノードＢが電力変更コマンドを判定するために用いる上り回線をＵＥが断続する場合，ノードＢからの電力変更コマンドを無視するかどうかＵＥが判定できる方法が必要である。
【課題を解決するための手段】
【０００５】
したがって本発明の第１態様においては，無線接続網と通信するユーザ装置無線通信端末に含まれる装置が用いる方法が提供され，この方法は，電力制御ループのダウンリンク期間に存在する可能性のある電力変更コマンドを，電力制御ループのダウンリンク期間をアップリンク期間に関連させる遅延・タイミング指示子を基準として無視するかどうかを判定するステップであって，上記ユーザ装置無線端末がデータ及び／又は制御情報を上記無線接続網へ断続送信によってアップリンクするステップと，上記遅延・タイミング指示子を基準としてダウンリンク期間の電力変更コマンドを無視しないように判定したときだけ，上記ダウンリンク期間の電力変更コマンドに対応する電力変更制御信号を無線フロントエンドへ供給するステップと，を有する。
【０００６】
本発明の第１態様によれば，上記遅延・タイミング指示子は標準によって全体又は一部を規定してもよいし，上記遅延・タイミング指示子のすべて又は一部を下り回線信号から取得してもよい。
【０００７】
本発明の第２態様においては，ユーザ装置無線通信端末と通信する無線接続網の要素が用いる方法が提供され，上記ユーザ装置無線通信端末からデータ及び／又は制御情報を示す信号を受信し，上記無線通信端末に対応する電力変更コマンドを送信するために必要な期間の１又は複数の部分を示すか，データ及び／又は制御情報を用いているので電力変更コマンドに従うかどうかを上記ユーザ装置無線通信端末が判定するのに十分な情報を示す，遅延・タイミング指示子の値を取得又は判定するステップを有する。
【０００８】
本発明の第２態様においては，前記方法は上記無線通信端末へ上記遅延・タイミング指示子を搬送する信号を供給するステップを更に有する。
【０００９】
また本発明は，計算機プロセッサが実行する計算機プログラムコードを組み込んだ計算機可読記憶構造を備える計算機プログラム製品であって，上記計算機プログラムコードは本発明の第１態様の方法と本発明の第２態様の方法とを実行する命令を含む二つの計算機プログラム製品を提供する。また本発明は，上記二つの計算機プログラム製品に従う１又は複数の特定用途集積回路も提供する。
【００１０】
また本発明は，本発明の第１態様によって動作するユーザ装置無線通信端末及びそのコンポーネントと，本発明の第２態様によって動作するノードＢ又は無線網制御装置のような網要素及びそのコンポーネントとを提供する。
【００１１】
本発明の上述及びほかの目的と，特徴と，利点とは，添付の図面を用いて提示される以降の詳細な説明を考慮すれば明らかになるであろう。
【発明を実施するための最良の形態】
【００１２】
本発明は，（第３世代セルラ電話システムのような）セルラ電話システムの無線接続網のノードＢ又は基地局装置と通信するＵＥ無線通信端末が用いる方法を提供する。この方法は，ノードＢが電力変更コマンドを判定するために用いるデータ及び制御情報（例えばパイロットビット）を搬送する電力制御ループの上り回線を断続するので（そのため電力変更コマンドは上述のとおりノイズ及び干渉を基準とするかも知れないので），電力制御ループの下り回線においてノードＢからの電力変更コマンドを無視するかどうかを判定する。ここでＵＥは断続送信を用いると言われている。すなわちＵＥによるデータ及び／又は制御情報の送信にはギャップがある。たとえいつギャップが発生するかを規定する潜在的な断続パターンがあっても，標準が必要とするかもしれないので，断続パターンによればギャップに分類されるであろう期間であってもＵＥはデータ及び／又は制御情報を送信することがあってもよい。例えば，たとえ断続パターンによればギャップ（オフ期間）に分類される期間（すなわち，例えばＤＰＣＣＨのスロット）でデータ及び／又は制御情報がアップリンクされることになっても，ＵＥがＥ−ＤＣＨ又はＨＳ−ＤＰＣＣＨ送信を行うときはいつでも，ＵＥはデータ及び／又は制御情報をアップリンクする必要がある。したがって実際にＵＥがデータ及び／又は制御情報を断続送信によってアップリンクする活動パターンは，必ずしも一定ではない。
【００１３】
ノードＢが電力変更コマンドを作成するために用いる制御情報をＵＥがアップリンクするとき，情報がノードＢに届くまでにここでは上り回線伝ぱ遅延と呼ぶ伝ぱ遅延がある。対応する下り回線伝ぱ遅延（ＵＥが移動していないときは，上り回線伝ぱ遅延と同一）がある。ＵＥは，（ＵＥが行う測定から，ただし測定は本発明の主題ではない）これらの遅延が分かることもあるし，分からないときもある。しかしノードＢはこの伝ぱ遅延が分かることが多い。伝ぱ遅延に加えて，ノードＢが受信した上り信号を用いて品質指示子の値を判定するために必要な期間がある。品質指示子は，ＳＩＲ（信号対干渉比）値のようにノードＢが電力変更コマンドをＵＥへ発行するかどうか判定する基準として用いるものである。そしてノードＢが電力変更コマンドをダウンリンクするまでの期間（すなわち，ＳＩＲ測定に加えてほかの処理が行われ，ダウンリンク信号を提供するために必要な期間）がある。ＵＥは後の二つの期間が分からないので，本発明によらなければ，ノードＢが電力変更コマンドを判定するためにどのアップリンクスロットを用いるかも分からない。（しかしＵＥは，電力変更コマンドがノードＢからＵＥに届くまでに掛かる時間が分かることが多く，それを考慮することができる。）換言すれば，ＵＥは，本発明によらなければ，ノードＢが電力変更コマンドを判定するために用いたアップリンクスロットがＵＥの送信した実際のデータ及び制御情報を含むか，又はノイズ及び干渉波だけを含むのか分からない。電力変更コマンドが実際のデータ及び制御情報を基準にしているかどうか分からないと，ＵＥは電力変更コマンドに従うのが望ましいか，無視するのが望ましいか容易に判定することができない。ＵＥがノイズ及び干渉波を基準にした電力変更コマンド（送信電力を増加させるコマンド）に従うと，ＵＥは不必要に大きな電力で送信を行い，通信に不要な干渉を与え，ＵＥの電力を浪費することになる。
【００１４】
ＵＥが電力変更コマンドに従わないようにするためには，それを無視することが望ましく，ＵＥはここでは遅延・タイミング指示子と呼ぶものを提供される。いくつかの実施例においては，遅延・タイミング指示子がＵＥに通知される。別の実施例においては，ＵＥは標準に従って，ある電力変更コマンド，すなわちノードＢに対する実際の制御ビット及び／又はデータビットのアップリンクを基準とするもの，だけに従うように構成される。この別の実施例においては，ＵＥがその標準に従って構成されているので，実効的に遅延・タイミング指示子を取得する。このように，遅延・タイミング指示子は，電力制御ループに対応するアップリンクスロット及びダウンリンクスロットを一般に示す任意の情報，すなわちＵＥがどのスロットのＴＰＣコマンドを無視するか，従うかを判定するのに十分な情報，を包含するように広く理解するのが望ましい。
【００１５】
一般に，ＵＥがデータ及び制御情報をノードＢに送信してから，ダウンリンクスロットでアップリンクスロットの情報を基準にした電力変更コマンドを受信するまでの時間は，上り回線伝ぱ遅延（ノードＢに届くまでの時間）と，ここではノードＢ処理時間と呼ぶ，ノードＢがＳＩＲを測定し，電力変更コマンドを判定し，ＵＥにその電力変更コマンドを送信する期間と，最後にダウンリンク伝ぱ時間（ノードＢが送信した電力変更コマンドがＵＥに届く時間）と，を含む。ＵＥがスロットをアップリンクしてから，ダウンリンクスロットで対応する電力変更コマンドを受信するまでの全体の期間を，ここでは上り回線電力制御遅延と呼ぶ。
【００１６】
このように上り回線電力制御遅延は複数部分からなる期間であって，上り回線伝ぱ遅延と，下り回線伝ぱ遅延と，ノードＢにおける品質測定時間及び付加処理時間と，を含む。上述のとおり実装によっては，上り回線電力制御遅延のいくつかの部分，特に上り回線伝ぱ遅延及び下り回線伝ぱ遅延はＵＥが知っていることもあるし，どれも知らないこともある。品質測定期間は標準に規定されていないので，一般にＵＥには分からない。
【００１７】
上述のとおり，本発明のいくつかの実施例によれば，ＵＥと通信するノードＢは，ＵＥが分からないか，又は認識できる，例えば標準に規定されていない上り回線電力制御遅延の部分を示す遅延・タイミング指示子をＵＥに通知する。（ＵＥがノードＢ信号に関して比較的高いＳＩＲ値を測定したとき，ＵＥはコマンドが電力を増加させるための一連の連続したコマンドの一つであったことを根拠に，電力制御コマンドは恐らく信頼できない情報を基準にしたものではないかと疑うかも知れないが，確かにそうであるとは言えない。）従ってＵＥは，遅延・タイミング指示子とアプリケーション時間及びダウンリンク時間（並びに上り回線電力制御遅延の任意のほかの既知の部分）とを組み合わせて用いて，電力変更コマンドがノードＢへのデータ及び制御情報送信を基準にしたものであるかどうかを判定する。そうでないとき（代わりにノイズ及び干渉波だけを基準にしている）ときは，ＵＥはコマンドに従わずに無視し，後のコマンドまで待機して，電力を前と同一のレベルに保ち，デューティサイクルのオフ期間を基準にしたコマンドを受信する。ノードＢはＲＮＣの指示で遅延・タイミング指示子を通知してもよいし，自律的に通知してもよい。遅延・タイミング指示子は一度通知するだけでよく，したがって（呼設定時，又は各種ノードＢへのハンドオフ時の）ノードＢを介する通信の設定に関連するメッセージによって送信することができる。
【００１８】
ここでＵＥが（上り回線及び下り回線双方の）伝ぱ遅延を知っており，その遅延が遅延・タイミング指示子によって示されていない場合を例として考える。このような場合に電力制御コマンドに従うかどうかを判定するために，ＵＥは，遅延・タイミング指示子が示す上り回線電力制御遅延部分にＵＥが知っているアップリンク時間及びダウンリンク時間を単に加え，いつその電力制御コマンドが受信されたかによって，電力制御コマンドが基準にしているアップリンクスロットを判定し，そしてＵＥは，ノードＢがＴＰＣコマンドを判定する際に用いる制御情報及び／又はデータのアップリンクをどのように断続したか知っているので，ノードＢが電力変更コマンドを判定する際に実際のデータ及び／又は（パイロットビットのような）制御情報を用いたかどうかを判定することができる。
【００１９】
ノードＢが，自分の用いているアップリンクスロットがノイズ及び干渉波だけを含むかどうか判定できるときは，いくつかの実施例においてノードＢはダウンリンクスロットを本発明によれば無視される電力変更コマンドには用いないで，そのダウンリンクスロットを用いてＵＥへほかの情報又はコマンドを通知してもよい。このように，断続送信のためにノイズ及び干渉波だけが存在するアップリンクスロットに対応するダウンリンクスロットでノードＢが伝送したビットに単に従ったり，無視したりする代わりに，ＵＥがどのように電力制御ループの上り回線を断続するかをノードＢが判定できる場合は，そうでなければ電力変更コマンドを搬送するビットを，ＵＥはあるほかの情報又はコマンドを示すように用いることができる。そしてＵＥは上り回線断続のオフ期間を基準とした電力変更コマンドを送信しないで，代わりにほかのビットをダウンリンクする。
【００２０】
ＷＣＤＭＡにおいては，ＵＥはノードＢからの信号に自分の受信器を同期させる。したがってＵＥはいつ自分が上り回線で送信しているかが分かるので，上り回線伝ぱ遅延及び下り回線伝ぱ遅延も暗黙に分かる。また上り回線と下り回線との結合伝ぱ遅延はスロットの１／１０よりずっと小さいことが多いので，下り回線の電力変更コマンドがどのアップリンクスロットに対応するかについて，多くの場合伝ぱ遅延が不確定性を増加させることはない。このように通常は伝ぱ遅延を遅延・タイミング指示子によって示す必要はなく，したがって本発明の少なくともいくつかの実施例によれば，遅延・タイミング指示子によっては示されない。
【００２１】
一般にいくつかの実施例においては，電力変更コマンドに従うかどうか判定するために，ＵＥは，コマンド受信時刻から，（これらの実施例において）ＵＥに通知された遅延・タイミング指示子がそのうちのいくつか又はすべてを示す，伝ぱ遅延と，品質測定期間と，付加ノードＢ処理時間とに等しい値だけ時間を戻して，ノードＢが電力変更コマンドの基準にするであろうデータ及び制御情報をＵＥがアップリンクした時刻を判定する。その時刻が，ＵＥが上り回線送信電力を断続した（オフにした）アップリンク期間に入ると判定されたときは，ＵＥはそのコマンドを無視し，そうでなければそれに従う。
【００２２】
上述のとおり，実現方法によっては上り回線電力制御遅延のいくつかの部分はＵＥに分かっていることがある。これは標準によって全体又は一部が達成でき，分からない部分は（伝ぱ遅延及びノードＢが必要とする処理時間でさえ）無視してもよいことがある。ＵＥを標準に従って実現したいくつかの実施例においては，上り回線電力制御遅延指示子は，標準に従って提供される情報以外は，ＴＰＣコマンドを無視するために必要な追加情報，又は均等にＴＰＣコマンドが実際の信号を搬送していない（すなわちノイズ及び干渉波だけの）アップリンクスロットを基準としたものであるかどうかを判定するための追加情報だけを示すものであってよい。別の実施例においては，ＵＥは標準通りに構成され，実際の制御ビット及び／又はデータビットを基準としていないＴＰＣコマンドをＵＥが無視するようにし，そして（これらの実施例においては）遅延・タイミング指示子を通知する必要がない。
【００２３】
またいくつかの実施例においては，ノードＢだけを標準化して，ＵＥは標準化しなくてもよい。この場合は遅延・タイミング指示子はより多くの情報，特にノードＢの標準によって提供される情報を示さなければならない。
【００２４】
上り回線電力制御に用いられるデータ及び／又は制御情報をＵＥが断続しているために，ＴＰＣコマンドに従うのが望ましいか，無視するのが望ましいかを判定する際のＵＥの計算量を最小化するために，遅延・タイミング指示子はここではＦ−ＤＰＣＨ（又は類似の下りチャネル）無視パターンと呼ぶ（又は無知パターンと呼んでもよい）もののとおりに提供してもよい。無視パターンとはここで用いる用語であるが，上り回線電力制御ループ運用のために，上り信号と下り信号とに対応するタイミングをＵＥに提供することによって，上り回線伝旅制御遅延を少なくとも暗黙に示す任意の情報と理解されたい。一つの極端な例として，無視パターンは，１５の時間スロット（ここで１５スロットは１０ｍｓの無線フレームを構成し，その各３スロットが２ｍｓのサブフレームを構成する）の任意の無線フレームにおける２番目，３番目及び５番目ごとに，ＵＥに対するＴＰＣコマンドを無視する（そして残りのものに従う）ことを示す情報であってよい。しかし無視パターンは，（従うことが望ましいＴＰＣコマンドを有する各時間スロットの代わりに）無視する各時間スロットを必ずしも明示的に示すものではない。例えば，無視パターンは電力制御ループに対応するアップリンク時間スロット又はダウンリンク時間スロットだけを示すものであってもよい。
【００２５】
説明したとおり，本発明は遅延・タイミング指示子が（無視パターンを含み）ノードＢではなく標準によって実効的にＵＥに提供されることも含む。すなわち，ＵＥは，例えばＳＩＲ測定タイミングを規定する標準，すなわちノードＢが上りＤＰＣＣＨ信号を受信してからその信号を基準としてＴＰＣコマンドを提供するか，又は少なくともＵＥがアップリンクしたデータビット及び／又は制御ビットを基準としない電力変更コマンドをＵＥが無視するようにするまでの遅延を規定する標準に従って実現してもよい。
【００２６】
ＵＥがいつＳＩＲ測定を行うか，すなわち断続パターンを標準が規定することも可能である。この場合ノードＢは同一の標準に沿い，アップリンクＤＴＸスロットに対応するダウンリンクスロットにはＴＰＣコマンドを供給しないように実現することができる。例えば，断続送信が許可されているときは，3GPP TS 25.214（5.1.2.2.1章）に規定されている電力制御において，ＵＥはアップリンク又はダウンリンクのスロットタイミングと一致するＳＩＲ測定タイミングを用いると仮定してノードＢを実現してもよい。そしてノードＢは，標準のとおりにＳＩＲ測定が行われないと判定したアップリンクスロットに対応するダウンリンクスロットにはＴＰＣコマンドを提供しなくてもよい，すなわち（ＴＰＣコマンドを搬送する）（下り）Ｆ−ＤＰＣＨを，ＵＥによる（上り回線の）断続に対応して断続してもよい。（このような実施例においては，すべてのＴＰＣコマンドはＵＥがアップリンクした実際の制御情報及びデータを基準としているので，ＵＥはノードＢから受信したすべてのＴＰＣコマンドに従うことになる。）
【００２７】
ここで図１Ａを参照すると，本発明の実施例が示されており，（例えばＵＥが標準に従っていくつかの電力変更コマンドだけに従うように構成されている実施例とは反対に）ＵＥが電力変更コマンドに従うかどうかを判定する際に用いることができる遅延・タイミング指示子を，ノードＢがＵＥに通知する。図示されているとおり，ＵＥ１１とノードＢ１２ａとは，断続上りチャネル及び下りチャネルを含む無線回線を介して通信している。ＵＥは，ノードＢが電力変更コマンドを判定する際に用いるデータビット及び／又は制御ビットを供給する。ノードＢは電力変更コマンドを供給し，また電力変更コマンドがアップリンクされたデータビット及び／又は制御ビットを基準としているか，単にノイズ及び干渉波を基準としているかをＵＥが判定する際に用いる，少なくともＵＥが分からない上り回線電力制御遅延の部分を示す遅延・タイミング指示子も供給する。ノードＢはＲＡＮ１２の無線端末コンポーネントであり，いくつかの観点でノードＢを制御するＲＮＣ１２ｂも含む。図１Ａに示した実施例において，ノードＢはＲＮＣから遅延・タイミング指示子を受信している。上り回線電力制御指示子は，呼設定時若しくはセッション設定時又はハンドオーバ時を含み，ＵＥがノードＢと通信している間はいつでも，そしてどのような観点でも，ＵＥが実際に上り回線を断続しているかどうかとは関係なく，送信してよい。上述のとおり，本発明の別の実施例においては，ＵＥがノードＢによってではなく，ＵＥが標準に従って構成されているため，すなわちＵＥが標準に従って実現されている（そしてノードＢが適宜標準に沿って実現されている）ため，遅延・タイミング指示子を供給されることを含むことに注意されたい。
【００２８】
図１ＢはＵＥ１１のいくつかのコンポーネントを示している。図示のとおりＵＥは，適切な無線フロントエンド１１ａ（図示していない無線送受信器を含む）と，データプロセッサ１１ｂと，（揮発性及び／又は不揮発性の）メモリ構造体１１ｃとを含み，無線フロントエンドはデータプロセッサと接続し，データプロセッサはメモリ構造体と接続している。データプロセッサは，例えばマイクロプロセッサ，すなわち単一半導体集積回路上に中央処理ユニットの機能を組み込んだプログラム可能デジタル電子コンポーネント，であってよい。無線フロントエンドは，（図示していない）デジタル信号プロセッサを含んでもよいし，データプロセッサ１１ｂが無線端末の送受信する信号に関してデジタル信号処理を提供してもよい。メモリ構造体１１ｃは，本発明のすべて又は一部を実現するプログラムコードを含む，プロセッサ１１ｂが実行できるプログラムコードを記憶する。ＵＥ１１は，図示のとおり，プロセッサが実行する記憶命令による機能を提供する代替物としてＵＥの機能のいくつか又はすべてを提供する１又は複数の特定用途集積回路１１ｄも含んでよい。最後にＵＥ１１は，図示のとおり，データプロセッサと，恐らく１又は複数のＡＳＩＣのうち１又は複数とも接続した（通常はなかでも，ディスプレイと，キーパッドと，マイクロホンと，スピーカと，を含む）ユーザインタフェース（ＵＩ）１１ｅを含む。
【００２９】
図には示していないが，各ノードＢ１２ａは無線フロントエンドと，データプロセッサと，メモリ構造体と，をも含み，図１Ｂに示すように接続した１又は複数のＡＳＩＣを含んでもよく，ＲＮＣ１２ｂもまたデータプロセッサと，メモリ構造体と，恐らく１又は複数のＡＳＩＣと，を含む。
【００３０】
一般にＵＥ１１の種々の実施例は，セルラ電話機と，無線通信能力を備えたパーソナルデジタルアシスタント（ＰＤＡ）と，無線通信能力を備えた可搬型計算機と，無線通信能力を備えたデジタルカメラのような画像取り込みデバイスと，無線通信能力を備えたゲームデバイスと，無線通信能力を備えた音楽記憶再生装置と，無線インターネット接続及び閲覧ができるインターネット装置と，これらの機能の組合せと組み込んだ可搬型ユニット又は端末と，を含んでもよいが，これに限定されない。
【００３１】
ここで図２を参照すると，本発明の実施例によるＵＥの動作が示されており，ステップ２１においてＵＥ，より詳細に言えば通常はＵＥ，少なくともプロセッサ１１ｂ又はＡＳＩＣ１１ｄ（図１Ｂ参照）内のプロトコルスタックの第１層実装が，サービスを提供するノードＢ（又は，例えばソフトハンドオーバの際にＵＥと通信している別のノードＢ）から受信した（例えばＦ−ＤＰＣＨ又は類似の下りチャネル）の時間スロットの電力変更コマンドを無視するかどうか（又は均等に，ＵＥが送信したデータビット及び／又は制御ビットではなく，ノイズ及び干渉波だけを基準としているかどうか）を判定し，そしてノードＢが供給する遅延・タイミング指示子を用いて，又は（実効的に）標準が示すとおりに判定する。（時間スロットには，電力制御指示子があってもよいし，なくてもよい。）時間スロットの電力変更コマンドを無視しないことが望ましいとＵＥが判定したときだけ（ＵＥがアップリンクした実際の制御情報及び／又はデータを基準にしてノードＢが判定したものであるから），かつタイムスロットに電力変更コマンドあると想定して，次のステップ２２においてＵＥプロセッサ１１ｂ又はＡＳＩＣ１１ｄは電力変更コマンドを無線フロントエンド１１ａ（図１参照）に通知する。
【００３２】
ここで図３を参照すると，本発明の実施例によるノードＢ及び／又はＲＮＣの動作が示されており，ステップ３１においてノードＢ又はＲＮＣが遅延・タイミング指示子を取得又は判定する。上り回線電力制御遅延全体のうち伝ぱ遅延部分を除いて，遅延・タイミング指示子が示さない部分の値はノードＢ又はＲＮＣのデータ記憶にプログラムすなわち記憶してもよく，その場合ノードＢ又はＲＮＣは記憶した部分を取得して，それを遅延・タイミング指示子に含める。ノードＢ又はＲＮＣは，記憶されていなく，かつＵＥが判定できない部分を種々の測定によって判定するようにプログラムしてもよい。換言すれば，（ＲＮＣと異なり）ノードＢ自身が遅延・タイミング指示子を取得又は判定する実施例においては，ノードＢは直接測定によって示される少なくともいくつかの部分を判定することができ，それは品質測定を行う期間の決定と，付加処理の実行と，アップリンクされたデータ及び制御情報の測定すなわち分析と，含む。別の実施例においては，遅延・タイミング指示子が示す（伝ぱ遅延ではない）少なくともいくつかの部分の値を実装時に予め決定して，ノードＢに記憶させることができる。更に別の実施例においては，各部分は標準によってノードＢに提供してもよい。すなわちノードＢは標準に従って実装してもよく，その場合各部分の値は，実際に測定することなく，かつ記憶する必要もなく判定すなわち推定することができる。
【００３３】
次のステップ３２において，ノードＢ又はＲＮＣは遅延・タイミング指示子を示す信号を，ノードＢの無線フロントエンド（図示していない）を介してＵＥ無線通信端末に送信する。遅延・タイミング指示子が実効的に標準によって与えられる別の実施例においては，遅延・タイミング指示子を実際に通知することはなく，その代わりノードＢは標準に沿って運用され，ＵＥはノードＢが標準に従って運用されているものと仮定する。あるいはノードＢを標準に従って実装してもよく，したがってノードＢは遅延・タイミング指示子を判定するために測定を行う必要はないが，ＵＥが標準どおりに実装されていない場合は，ＵＥに遅延・タイミング指示子を通知してもよい。
【００３４】
ＲＮＣが遅延・タイミング指示子を取得すると，（通常は有線の）信号を介してノードＢにそれを提供し，ノードＢは次に対応する（無線の）信号をＵＥに提供して，それによってＵＥがノードＢからのどの電力変更コマンドに従い，（電力制御のためには）どれを無視するかを判定できるようにする。
【００３５】
（ＵＴＲＡＮの）ＵＥに上りＤＰＣＣＨ断続が許可されている場合は，ＵＥが従うＴＰＣコマンドと，無視するＴＰＣコマンドとを識別するために必要とする遅延・タイミング指示子をノードＢが（恐らくはＲＮＣの指示によって）ＵＥに提供するか，上述のとおり標準によって実効的に提供することが望ましい。
【００３６】
本発明による遅延・タイミング指示子はまた，ＵＥが従うことが望ましい次のＴＰＣコマンドまでどれだけ待機することになっているかを示し，ポストアンブル指示子として働く，ＵＥに伝送される（又は標準によって分かる）値も含む。したがってＵＥが上りＤＰＣＣＨを断続する場合，上りＤＰＣＣＨと同時にＦ−ＦＰＣＨが始まるときは，遅延・タイミング指示子は有効なＴＰＣコマンドまでＵＥがどれだけ待機するか（ノードＢがＦ−ＤＰＣＨデータを受信するか，ＴＰＣコマンドを制御及び判定し，そしてＵＥにコマンドを返送するのに十分な時間）を示すものとして解釈してもよい。したがってＵＥは，遅延・タイミング指示子による時間だけ，下り回線でＴＰＣコマンドを監視する必要がある。（これは，伝ぱ遅延が無視できるか，ノードＢが何らかの方法で伝ぱ遅延を遅延値に含めていることを仮定している。）
【００３７】
代替として，遅延・タイミング指示子をポストアンブル長さ指示子としてではなく，プリアンブル長さ指示子として用いることもできる。このようにここでもＦ−ＤＰＣＨが上りＤＰＣＣＨと同時に開始される場合には，ＵＥは遅延・タイミング指示子に対応する，又は関係する時間だけ早く上りＤＰＣＣＨ送信を開始する必要がある。（これはここでも伝ぱ遅延が無視されないか，ノードＢが何らかの方法でそれを遅延値に含めていると仮定している。）
【００３８】
例えばマルチベンダ環境のような場合は，遅延・タイミング指示子はノードＢ依存であってもよい。本発明は特にこのような状況の実施例を包含している。ＲＮＣが配下のノードＢのすべてに使用する最小遅延を通知する実施例においては，上記の状況は遅延・タイミング指示子に影響するであろう。そして共通上り回線電力制御遅延は，遅延・タイミング指示子から導出され，別のベンダのノードＢと通信しているＵＥに通知される。
【００３９】
しかし一般には既に説明したとおり，遅延・タイミング指示子は，電力制御ループに対応するアップリンクスロット及びダウンリンクスロットを一般に示す任意の情報，すなわちＵＥがどのスロットのＴＰＣコマンドを無視し，又は従うかを判定するために十分な情報を含むものとして広く理解されたい。
【００４０】
上述の構成は，本発明の原理の応用を例示するものに過ぎないことを理解されたい。当業者であれば，本発明の範囲から逸脱することなく多くの修正物及び代替構成物を考案することができるであろう。
【図面の簡単な説明】
【００４１】
【図１Ａ】本発明の実施例によるユーザ装置（ＵＥ）無線通信端末と，断続上りチャネル及び下りチャネルを含む無線回線を介して通信する無線接続網（ＲＡＮ）のノードＢとのブロック図及びフロー図であって，ＲＡＮ無線通信が遅延・タイミング指示子を提供していることを示す図である（しかし別の実施例においては，遅延・タイミング指示子はＵＥに通知されず，その代わりに標準化され，ＵＥはその標準に従って提供又は構成される）。
【図１Ｂ】図１ＡのＵＥ端末又はノードＢの（本発明に関係する部分だけを示す）簡略化したブロック図である。
【図２】図１Ａに示した本発明の実施例による，図１ＡのＵＥの動作を示すフローチャートである。
【図３】図１Ａに示した本発明の実施例による，図１ＡのノードＢ又は無線網制御装置（ＲＮＣ）の動作を示すフローチャートである。
【図１Ａ】
2010504001.tif 000003
【図１Ｂ】
2010504001.tif 000004
【図２】
2010504001.tif 000005
【図３】
2010504001.tif 000006
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
ユーザ装置において，アップリンク期間に対応するダウンリンク期間に存在する可能性のある任意の電力変更コマンドを無視するかどうかを判定するステップであって，前記ユーザ装置によるデータ及び／又は制御情報の送信中に断続パターンに応じた送信ギャップがあるステップと，
前記任意の電力変更コマンドを無視しないように判定したとき，前記ダウンリンク期間の電力変更コマンドに対応する電力変更制御信号を供給するステップと，
を有する方法。
【請求項２】
前記ダウンリンクは部分的専用物理チャネルとする請求項１に記載の方法。
【請求項３】
遅延・タイミング指示子はダウンリンク物理チャネル期間に含まれる請求項２に記載の方法。
【請求項４】
前記遅延・タイミング指示子は，無線接続網による前記データ及び／又は制御情報の着信から，電力変更制御信号の送信までの遅延を示す１又は複数の値とする請求項３に記載の方法。
【請求項５】
前記データ及び／又は制御情報は，前記ユーザ装置が強化専用チャネルでアップリンクする請求項１に記載の方法。
【請求項６】
前記データ及び／又は制御情報は，前記ユーザ装置が専用制御チャネルでアップリンクする請求項１に記載の方法。
【請求項７】
前記データ及び／又は制御情報は，前記ユーザ装置が送信を行うオン期間と，送信しないオフ期間とからなる前記断続パターンに少なくとも部分的に従ってアップリンクする請求項１に記載の方法。
【請求項８】
計算機プロセッサが実行する計算機プログラムコードを組み込んだ計算機可読記憶構造体を備える計算機プログラム製品であって，前記計算機プログラムコードは請求項１〜７のいずれか一項に記載の方法を実行する命令を含む計算機プログラム製品。
【請求項９】
請求項１，２，５，６及び７のいずれか一項に記載の方法によって動作するようにした特定用途集積回路。
【請求項１０】
ユーザ装置において，アップリンク期間に対応するダウンリンク期間に存在する可能性のある任意の電力変更コマンドを無視するかどうかを判定する手段であって，前記ユーザ装置によるデータ及び／又は制御情報の送信中に断続パターンに応じた送信ギャップがある手段と，
前記任意の電力変更コマンドを無視しないように判定したとき，前記ダウンリンク期間の電力変更コマンドに対応する電力変更制御信号を供給する手段と，
を備える装置。
【請求項１１】
無線接続網要素において，ダウンリンク期間がアップリンク期間に対応するかどうかを判定する判定ステップであって，ユーザ装置によるデータ及び／又は制御情報の送信中に送信ギャップがあるステップと，
前記判定ステップによって前記ユーザ装置の送信に送信ギャップがないことが判定されたとき，前記ダウンリンク期間で前記ユーザ装置へ電力変更コマンドを送信するステップと，
を有する方法。
【請求項１２】
前記ユーザ装置へ遅延・タイミング指示子を搬送する通信信号を供給するステップを更に有する請求項１１に記載の方法。
【請求項１３】
計算機プロセッサが実行する計算機プログラムコードを組み込んだ計算機可読記憶構造体を備える計算機プログラム製品であって，前記計算機プログラムコードは請求項１１又は１２に記載の方法を実行する命令を含む計算機プログラム製品。
【請求項１４】
請求項１１又は１２に記載の方法によって動作するようにした特定用途集積回路。
【請求項１５】
無線接続網要素において，ダウンリンク期間がアップリンク期間に対応するかどうかを判定する手段であって，ユーザ装置によるデータ及び／又は制御情報の送信中に送信ギャップがある手段と，
前記ユーザ装置の送信に送信ギャップがないことが判定されたとき，前記ダウンリンク期間で前記ユーザ装置へ対応する電力変更コマンドを送信する手段と，
を備える装置。
【請求項１６】
前記ユーザ装置へ遅延・タイミング指示子を搬送する通信信号を供給する手段を更に備える請求項１５に記載の装置。
【国際調査報告】
2010504001.tif 000007
2010504001.tif 000008
2010504001.tif 000009
2010504001.tif 000010